(57)【要約】【課題】二つ以上のクーポン情報を組合せた新たなクーポン情報を提供するクーポン提供方法を提供する。【解決手段】利用者の携帯端末に格納された複数のクーポン情報について、利用者が複数のクーポン情報のうちの二つ以上を選択して組合せることにより、選択された二つ以上のクーポン情報とは異なる新たなクーポン情報を携帯端末に提供する。【選択図】  図１
2014178724.tif 000002
【特許請求の範囲】
【請求項１】
利用者の携帯端末に格納された複数のクーポン情報について、前記利用者が前記複数のクーポン情報のうちの二つ以上を選択して組合せることにより、前記選択された二つ以上のクーポン情報とは異なる新たなクーポン情報を前記携帯端末に提供することを特徴とするクーポン情報の提供方法。
【請求項２】
前記携帯端末は、前記利用者が前記選択された二つ以上のクーポン情報を組合せる操作をすることにより、前記新たなクーポン情報を要求するクーポン要求信号をクーポン提供サーバに送信し、
前記クーポン提供サーバは、前記クーポン要求信号に基づいて、前記新たなクーポン情報を前記携帯端末に送信することを特徴とする請求項１に記載のクーポン提供方法。
【請求項３】
前記クーポン要求信号は、前記選択された一方のクーポン情報、前記選択された他方のクーポン情報、及び前記新たなクーポン情報の少なくとも一つ以上のクーポン識別情報を含むことを特徴とする請求項１又は２に記載のクーポン提供方法。
【請求項４】
前記携帯端末は、前記利用者が前記選択された二つ以上のクーポン情報を組合せる操作をすることにより、前記新たなクーポン情報を要求するクーポン表示信号を生成し、前記クーポン表示信号に基づいて、前記携帯端末の記憶領域から前記新たなクーポン情報を選択し、前記携帯端末の表示手段に前記新たなクーポン情報を識別可能に表示することを特徴とする請求項１に記載のクーポン提供方法。
【請求項５】
前記複数のクーポン情報の少なくとも一部は、組合せ可能な他のクーポン情報を識別するための組合せ識別情報を含むことを特徴とする請求項１乃至４の何れか１項に記載のクーポン提供方法。
【請求項６】
前記携帯端末は、前記組合せ識別情報に基づいて、組合せ可能なクーポン情報を利用者に識別可能に表示することを特徴とする請求項５に記載のクーポン提供方法。
【請求項７】
前記複数のクーポン情報の一部は、携帯端末の位置情報に基づいてクーポン提供サーバから提供されることを特徴とする請求項１乃至６の何れか１項に記載のクーポン提供方法。
【請求項８】
前記クーポン提供サーバは、ＧＰＳ測位による前記携帯端末の位置情報を取得し、所定の位置から一定の距離範囲内に存在する前記携帯端末に、前記複数のクーポン情報の一部を送信することを特徴とする請求項７に記載のクーポン提供方法。
【請求項９】
前記複数のクーポン情報の一部は、屋内又は屋外に設置された無線通信機能を有する無線端末の無線端末識別情報、及び前記無線端末と無線通信が可能な距離範囲内に存在する前記携帯端末の携帯端末識別情報を含むクーポン送信要求に基づいて、クーポン提供サーバから前記携帯端末に提供されることを特徴とする請求項１乃至８の何れか１項に記載のクーポン提供方法。
【請求項１０】
前記選択された二つ以上のクーポン情報が組み合わされる際、前記新たなクーポン情報は所定の条件に応じて複数の別々のものとなることを特徴とする請求項１乃至９の何れか１項に記載のクーポン提供方法。
【請求項１１】
利用者の携帯端末に格納された複数のクーポン情報について、前記利用者が前記複数のクーポン情報のうちの二つ以上を選択して組合せることにより、前記選択された二つ以上のクーポン情報とは異なる新たなクーポン情報を前記携帯端末に提供することを特徴とするクーポン提供サーバ。
【請求項１２】
前記クーポン提供サーバは、前記利用者が前記選択された二つ以上のクーポン情報を組合せる操作をすることによって前記携帯端末から送信される前記新たなクーポン情報を要求するクーポン要求信号を受信すると、前記新たなクーポン情報を前記携帯端末に送信することを特徴とする請求項１１に記載のクーポン提供サーバ。
【請求項１３】
前記クーポン提供サーバは、
前記複数のクーポン情報の少なくとも一部に、組合せ可能な他のクーポン情報を識別するための組合せ識別情報を付与し、
前記組合せ識別情報によって特定される一群のクーポン情報を前記携帯端末に送信することを特徴とする請求項１１に記載のクーポン提供サーバ。
【請求項１４】
前記クーポン提供サーバは、前記携帯端末の位置情報に基づいて、前記複数のクーポン情報の一部を前記携帯端末に送信することを特徴とする請求項１１乃至１３の何れか１項に記載のクーポン提供サーバ。
【請求項１５】
前記クーポン提供サーバは、ＧＰＳ測位による前記携帯端末の位置情報を取得し、所定の位置から一定の距離範囲内に存在する前記携帯端末に、前記複数のクーポン情報の一部を送信することを特徴とする請求項１４に記載のクーポン提供サーバ。
【請求項１６】
前記クーポン提供サーバは、屋内若しくは屋外に設置された無線通信機能を有する無線端末又は前記無線端末と無線通信が可能な距離範囲内に存在する前記携帯端末から送信された、前記無線端末の無線端末識別情報及び前記携帯端末の携帯端末識別情報を含むクーポン送信要求を受信すると、前記複数のクーポン情報の一部を前記携帯端末に送信することを特徴とする請求項１１乃至１５の何れか１項に記載のクーポン提供サーバ。
【請求項１７】
請求項１１乃至１６に記載のネットワークに接続可能なクーポン提供サーバと、無線通信機能を有し前記ネットワークに接続可能な無線携帯端末とを備えるクーポン提供システム。
【請求項１８】
複数のクーポン情報を受信して携帯端末の表示画面に表示するステップと、
前記利用者が前記複数のクーポン情報のうちの二つ以上を選択して組合せる操作をすると、前記選択された二つ以上のクーポン情報とは異なる新たなクーポン情報の送信を要求するクーポン要求信号を生成するステップと、
前記クーポン要求信号をクーポン提供サーバに送信するステップと、
前記クーポン提供サーバから送信された前記新たなクーポン情報を受信して前記携帯端末の表示画面に表示するステップと、を前記携帯端末に実行させるためのクーポン表示プログラム。
【請求項１９】
前記受信した複数のクーポン情報に、組合せ可能な他のクーポン情報を識別するための組合せ識別情報が含まれているか判定するステップと、
前記組合せ識別情報が含まれている場合、組合せ可能なクーポン情報を利用者に識別可能に表示するステップと、を含む請求項１８に記載のクーポン表示プログラム。
【請求項２０】
無線通信機能を有しネットワークに接続可能な無線端末と、無線通信機能を有し前記ネットワークに接続可能な携帯端末と、前記ネットワークに接続可能なクーポン提供サーバと、を備えるクーポン提供システムであって、
前記携帯端末は、
前記無線端末との無線通信を確立するための接続要求信号を前記無線端末に送信し、
前記接続要求信号に対する前記無線端末からの応答信号を受信して、自己の携帯識別情報を前記無線端末に通知し、
前記無線端末は、
前記通知された携帯識別情報及び自己の無線識別情報を含み、前記携帯端末へのクーポン情報の送信を要求する第１クーポン要求信号を前記クーポン提供サーバに送信し、
前記クーポン提供サーバは、
前記第１クーポン要求信号に基づいて、クーポン送信準備通知を前記携帯端末に送信し、
前記携帯端末からの送信開始要求信号を受けると、前記携帯端末にクーポン情報を送信し、
前記携帯端末に格納された複数のクーポン情報について、前記利用者が前記複数のクーポン情報のうちの二つ以上を選択して組合せる操作をすることによって前記携帯端末から送信される第２クーポン要求信号を受信すると、前記選択された二つ以上のクーポン情報とは異なる新たなクーポン情報を前記携帯端末に送信することを特徴とするクーポン提供システム。
【請求項２１】
店舗に設置された無線通信機能を有する無線端末に対し、
無線通信機能を有する利用者の携帯端末からの無線通信を確立するための接続要求信号を受信するステップと、
前記接続要求信号に対する応答信号を前記携帯端末に送信するステップと、
前記携帯端末の携帯識別情報を受信するステップと、
前記受信した携帯識別情報及び自己の無線識別情報を含み、前記携帯端末へのクーポン情報の送信を要求する第１クーポン要求信号をクーポン提供サーバに送信するステップと、を前記無線端末に実行させるためのクーポン要求プログラム。
【発明の詳細な説明】
【技術分野】
【０００１】
本発明は、電子的なクーポン情報を提供する技術に関し、特に、利用者の所持する携帯端末にクーポン情報を提供するための方法、サーバ、システムなどに関する。
【背景技術】
【０００２】
一般に、飲食店、食料品店などの各種店舗では、店舗の利用と取り扱う商品の販売を促進するために、割引の特典などを含むクーポンを配布している。そして、近年では、利用者が所持する携帯端末に電子的なクーポンを提供するシステムも提案されている（例えば、特許文献１参照）。特許文献１には、ユーザの現在位置情報と店舗の位置情報とを比較し、ユーザの所定範囲内の店舗を特定することで、ユーザの所定範囲内にある店舗が発行中のクーポンの一覧を携帯端末に送るクーポン提供システムが開示されている。
【０００３】
また、各利用者の利用履歴に基づいて利用者の嗜好に合う店舗のクーポンを配信する技術も提案されている（例えば、特許文献２参照）。特許文献２には、第１の利用者と嗜好の近い第２の利用者が利用したクーポンの履歴に基づいて、その第１の利用者の嗜好に合う店舗であってまだ利用されたことのない店舗のクーポンを第１の利用者に配信するクーポンの管理サーバなどが開示されている。
【先行技術文献】
【特許文献】
【０００４】
【特許文献１】特開２０１２−２０８８０９号公報
【特許文献２】特開２０１３−３３３５３号公報
【発明の概要】
【発明が解決しようとする課題】
【０００５】
しかしながら、特許文献１に記載されたクーポン提供システムでは、利用者が店舗からのクーポンを受け取るためには、店舗に対してメール会員の登録をする必要があるので、利用者にとって頻繁にメール会員の登録処理を実行するのに手間がかかり、煩雑である。さらに、手間をかけてメール会員の登録処理をしたにもかかわらず、利用者にとって、利用価値のない、あるいは興味のないクーポンが配信される可能性もあり、かかるクーポンは結局のところ無駄となる。また、特許文献１に記載されたクーポン提供システムでは、店舗の周辺にいる携帯端末の利用者に対してクーポンを提供することができるとされている。しかしながら、かかるシステムでは、利用者の携帯端末の位置を特定するために、利用者の携帯端末がＧＰＳ（Global Positioning System）機能により測位された位置情報を用いている。このため、ＧＰＳ信号を取得できない屋内、地下施設などでは、かかるシステムを適用することが難しい。
【０００６】
また、特許文献２に記載されたクーポン管理サーバによれば、利用者の嗜好にあった店舗のクーポンを推薦できるとされている。しかしながら、かかるクーポンの提供の態様では、利用者が過去に利用したクーポンの利用履歴から利用者の嗜好を推定しているため、利用者のそれまでの利用履歴に含まれないような業種の店舗はクーポンを発行する機会が少ない。すなわち、店舗側からみると、クーポンを提供するためのシステムに加入し、費用をかけて設備を導入しているにもかかわらず、自己の業種が利用者の嗜好に合致しないと推定された場合、その利用者を誘引することが難しく、多種多様な新規顧客を獲得することが難しいという問題がある。
【０００７】
本発明は、前述した問題に鑑みてなされたものであって、かかる問題の少なくとも一部を解決することができるクーポン提供方法、クーポン提供システム及びクーポン提供サーバを提供することを目的とする。
【課題を解決するための手段】
【０００８】
前述した課題を解決するため、本発明のクーポン提供方法は、利用者の携帯端末に格納された複数のクーポン情報について、前記利用者が前記複数のクーポン情報のうちの二つ以上を選択して組合せることにより、前記選択された二つ以上のクーポン情報とは異なる新たなクーポン情報を前記携帯端末に提供することを特徴とする。
【０００９】
上記クーポン提供方法において、前記携帯端末は、前記利用者が前記選択された二つ以上のクーポン情報を組合せる操作をすることにより、前記新たなクーポン情報を要求するクーポン要求信号をクーポン提供サーバに送信し、前記クーポン提供サーバは、前記クーポン要求信号に基づいて、前記新たなクーポン情報を前記携帯端末に送信することが好ましい。また、前記クーポン要求信号は、前記選択された一方のクーポン情報、前記選択された他方のクーポン情報、及び前記新たなクーポン情報の少なくとも一つ以上のクーポン識別情報を含むことが好ましい。
【００１０】
また、前記携帯端末は、前記利用者が前記選択された二つ以上のクーポン情報を組合せる操作をすることにより、前記新たなクーポン情報を要求するクーポン表示信号を生成し、前記クーポン表示信号に基づいて、前記携帯端末の記憶領域から前記新たなクーポン情報を選択し、前記携帯端末の表示手段に前記新たなクーポン情報を識別可能に表示してもよい。前記複数のクーポン情報の少なくとも一部は、組合せ可能な他のクーポン情報を識別するための組合せ識別情報を含むことが好ましい。前記携帯端末は、前記組合せ識別情報に基づいて、組合せ可能なクーポン情報を利用者に識別可能に表示することが好ましい。前記複数のクーポン情報の一部は、携帯端末の位置情報に基づいてクーポン提供サーバから提供されることが好ましい。
【００１１】
前記クーポン提供サーバは、ＧＰＳ測位による前記携帯端末の位置情報を取得し、所定の位置から一定の距離範囲内に存在する前記携帯端末に、前記複数のクーポン情報の一部を送信することが好ましい。前記複数のクーポン情報の一部は、屋内又は屋外に設置された無線通信機能を有する無線端末の無線端末識別情報、及び前記無線端末と無線通信が可能な距離範囲内に存在する前記携帯端末の携帯端末識別情報を含むクーポン送信要求に基づいて、クーポン提供サーバから前記携帯端末に提供されることが好ましい。前記選択された二つ以上のクーポン情報が組み合わされる際、前記新たなクーポン情報は所定の条件に応じて複数の別々のものとなってもよい。
【００１２】
本発明のクーポン提供サーバは、利用者の携帯端末に格納された複数のクーポン情報について、前記利用者が前記複数のクーポン情報のうちの二つ以上を選択して組合せることにより、前記選択された二つ以上のクーポン情報とは異なる新たなクーポン情報を前記携帯端末に提供することを特徴とする。前記クーポン提供サーバは、前記利用者が前記選択された二つ以上のクーポン情報を組合せる操作をすることによって前記携帯端末から送信される前記新たなクーポン情報を要求するクーポン要求信号を受信すると、前記新たなクーポン情報を前記携帯端末に送信することが好ましい。
【００１３】
また、前記クーポン提供サーバは、前記複数のクーポン情報の少なくとも一部に、組合せ可能な他のクーポン情報を識別するための組合せ識別情報を付与し、前記組合せ識別情報によって特定される一群のクーポン情報を前記携帯端末に送信することが好ましい。前記クーポン提供サーバは、前記携帯端末の位置情報に基づいて、前記複数のクーポン情報の一部を前記携帯端末に送信することが好ましい。前記クーポン提供サーバは、ＧＰＳ測位による前記携帯端末の位置情報を取得し、所定の位置から一定の距離範囲内に存在する前記携帯端末に、前記複数のクーポン情報の一部を送信することが好ましい。また、前記クーポン提供サーバは、屋内若しくは屋外に設置された無線通信機能を有する無線端末又は前記無線端末と無線通信が可能な距離範囲内に存在する前記携帯端末から送信された、前記無線端末の無線端末識別情報及び前記携帯端末の携帯端末識別情報を含むクーポン送信要求を受信すると、前記複数のクーポン情報の一部を前記携帯端末に送信することが好ましい。
【００１４】
本発明のクーポン提供システムは、上記記載のネットワークに接続可能なクーポン提供サーバと、無線通信機能を有し前記ネットワークに接続可能な無線携帯端末とを備えることが好ましい。
【００１５】
本発明の一態様は、携帯端末に実行させるためのクーポン表示プログラムであって、複数のクーポン情報を受信して携帯端末の表示画面に表示するステップと、前記利用者が前記複数のクーポン情報のうちの二つ以上を選択して組合せる操作をすると、前記選択された二つ以上のクーポン情報とは異なる新たなクーポン情報の送信を要求するクーポン要求信号を生成するステップと、前記クーポン要求信号をクーポン提供サーバに送信するステップと、前記クーポン提供サーバから送信された前記新たなクーポン情報を受信して前記携帯端末の表示画面に表示するステップと、を有する。
【００１６】
上記クーポン表示プログラムにおいて、前記受信した複数のクーポン情報に、組合せ可能な他のクーポン情報を識別するための組合せ識別情報が含まれているか判定するステップと、前記組合せ識別情報が含まれている場合、組合せ可能なクーポン情報を利用者に識別可能に表示するステップと、を含むことが好ましい。
【００１７】
本発明のクーポン提供システムは、無線通信機能を有しネットワークに接続可能な無線端末と、無線通信機能を有し前記ネットワークに接続可能な携帯端末と、前記ネットワークに接続可能なクーポン提供サーバと、を備えるクーポン提供システムであって、前記携帯端末は、前記無線端末との無線通信を確立するための接続要求信号を前記無線端末に送信し、前記接続要求信号に対する前記無線端末からの応答信号を受信して、自己の携帯識別情報を前記無線端末に通知し、前記無線端末は、前記通知された携帯識別情報及び自己の無線識別情報を含み、前記携帯端末へのクーポン情報の送信を要求する第１クーポン要求信号を前記クーポン提供サーバに送信し、前記クーポン提供サーバは、前記第１クーポン要求信号に基づいて、クーポン送信準備通知を前記携帯端末に送信し、前記携帯端末からの送信開始要求信号を受けると、前記携帯端末にクーポン情報を送信し、前記携帯端末に格納された複数のクーポン情報について、前記利用者が前記複数のクーポン情報のうちの二つ以上を選択して組合せる操作をすることによって前記携帯端末から送信される第２クーポン要求信号を受信すると、前記選択された二つ以上のクーポン情報とは異なる新たなクーポン情報を前記携帯端末に送信することを特徴とする。
【００１８】
本発明の一態様は、無線端末に実行させるためのクーポン要求プログラムであって、店舗に設置された無線通信機能を有する無線端末に対し、無線通信機能を有する利用者の携帯端末からの無線通信を確立するための接続要求信号を受信するステップと、前記接続要求信号に対する応答信号を前記携帯端末に送信するステップと、前記携帯端末の携帯識別情報を受信するステップと、前記受信した携帯識別情報及び自己の無線識別情報を含み、前記携帯端末へのクーポン情報の送信を要求する第１クーポン要求信号をクーポン提供サーバに送信するステップと、を有する。
【発明の効果】
【００１９】
本発明のクーポン提供方法によれば、二つ以上のクーポン情報を組合せた新たなクーポンを提供することができ、利用者が利用価値の高いクーポン情報を獲得することができる。また、利用者にとって利用価値のない個々のクーポン情報も他のクーポン情報と組合せることができるので、捨てられることなく無駄とならない。その他の効果については、発明を実施するための形態において述べる。
【図面の簡単な説明】
【００２０】
【図１】本発明のクーポン提供方法によるクーポン情報の例
【図２】本発明のクーポン提供方法の概要を示す説明図
【図３】本発明のクーポン提供システムの概略構成図
【図４】店舗情報管理テーブルの例
【図５】携帯端末管理テーブルの例
【図６】クーポン情報管理テーブルの例
【図７】クーポン組合せ対応テーブルの例
【図８】携帯端末の構成の一例を示すブロック図
【図９】クーポン情報表示テーブルの例
【図１０】本発明の無線端末の構成の一例を示すブロック図
【図１１】クーポン提供システムの第１のクーポン提供処理の例を示すシーケンス図
【図１２】クーポン提供システムの第２のクーポン提供処理の例を示すシーケンス図
【図１３】クーポン提供システムの第３のクーポン提供処理の例を示すシーケンス図
【図１４】携帯端末のクーポン送信要求処理の例を示すフローチャート
【図１５】携帯端末のクーポン送信要求処理の別の例を示すフローチャート
【図１６】無線端末のクーポン送信要求処理の例を示すフローチャート
【図１７】クーポン提供サーバのクーポン送信処理の例を示すフローチャート
【発明を実施するための形態】
【００２１】
［本発明の概要］
本発明は、店舗の利用者、商品の購入者等（以下「利用者」という）が所持する携帯端末に電子的なクーポン情報を提供し、利用者の携帯端末に格納された複数のクーポン情報について、利用者が複数のクーポン情報のうちの少なくとも二つ以上を選択して組合せることにより、その選択された二つ以上のクーポン情報とは異なる新たなクーポン情報を携帯情報端末に提供するものである。
【００２２】
本発明において、店舗とは、各種の商業店舗、飲食店舗、施設などを含むほか、消費者が多く集う街頭、広場、催事場、休憩場所、駅、空港、高速道路のサービスエリア、各種交通機関の車両又は移動体、ランドマーク、公共建築（役所、公民館、学校、病院、図書館）なども含むものとする。クーポン情報とは、各種の商品及び役務の広告、又は、優待もしくは割引が受けられる特典などを含むほか、消費者に発行される報酬（ポイント、電子マネー）、試供品の配布、無料体験、各種イベントの招待に関する情報などを含む。
【００２３】
クーポン情報は、静止画（テキスト、各種コード、図形、地図などを含む）、動画、音声、及びこれらの組合せなどを含んでよい。新たなクーポン情報は、選択された二つ以上のクーポン情報に付与された特典よりも利用者にとってより利用価値の高い特典を含むことが好ましい。具体的には、商品の割引率が高くなる、単品ではなくセットメニューに使用できるようになる、利用可能人数が増加する、プレゼントが付与される、獲得ポイントが増大する、などである。
【００２４】
図１は、本発明のクーポン提供方法によるクーポン情報の例であり、利用者の携帯端末の表示画面２０に表示されるクーポン情報（Ａ，Ｂ，Ｃ・・・）の例である。クーポン情報は、表示画面２０上にアイコン２３０として表示されることが好ましい。ただし、これに限定されず、サムネイル、テキスト情報、リスト形式、テキスト情報によるテロップ形式などで表示してもよい。
【００２５】
利用者３が二つ以上のクーポン情報（例えば、クーポンＡとクーポンＣ）を選択し、組合せる操作をすると（図１（Ａ）参照（組合せ操作時の状態））、携帯端末２は新たなクーポン情報（例えば、クーポンＡＣ）を要求するクーポン要求信号を生成し、クーポン要求信号に基づいて新たなクーポン情報を取得できる（図２（Ｂ）参照（組合せ操作後の状態））。例えば、クーポン要求信号をクーポン提供サーバ（後述する図３に示す符号８）に送信し、クーポン提供サーバがクーポン要求信号に基づいて新たなクーポン情報を携帯端末２に送信して新たなクーポン情報を取得できる。また、携帯端末２には、二つ以上のクーポン情報が組合わされた後の新たなクーポン情報があらかじめ格納されていてもよく、利用者が携帯端末２の表示画面２０上で二つ以上のクーポン情報を選択して組合せる操作をすると、携帯端末２は、クーポン要求信号に基づいて選択された二つ以上のクーポン情報の組合せに対応する新たなクーポン情報を記憶領域から選択し、選択された新たなクーポン情報表示画面２０に表示して利用可能に提供するように構成してもよい。
【００２６】
ここで、クーポン情報を組合せる操作とは、例えば、表示画面２０に表示されるアイコン２３０についてドラッグ＆ドロップを実施し、アイコン２３０同士を重ね合わせる操作である。ただし、これに限定されない。例えば、利用者があるアイコン２３０を選択すると、携帯端末２が、組合せ可能なクーポン情報のリストを表示したり、組合せ可能なクーポン情報に対応するアイコンなどの強調表示（色又は明るさの変更、囲い枠、ブリンク、回転、拡大など）したりすることで組合せ可能なクーポン情報を識別させて、利用者が選択するように構成してもよい。また、利用者が積極的に選択するのではなく、携帯端末が組合せるか否かを利用者に問い合わせ、かかる問い合わせに対して利用者が承諾するように構成してもよい。
【００２７】
また、異なる種類のクーポン情報（例えば、クーポンＡとクーポンＣ）だけでなく、同一の種類の複数枚のクーポン情報（例えば、２枚以上のクーポン情報Ｄ）を組合わせることもできる。
【００２８】
携帯端末２は、利用者３が複数のクーポン情報のうちの少なくとも二つ以上を選択して組合せる操作をすることができるように、組合せ可能なクーポン情報を特定する組合せ識別情報（以下、組合せＩＤという。）に基づいて、組合せ可能なクーポン情報を表示画面２０上で識別可能に表示できることが好ましい。識別可能に表示するとは、例えば、図１に示すように、共通の組合せ可能表示（マーク）２４０をアイコン２３０とともに表示することを含む。また、これに限定されず、組合せ可能なクーポン情報に対応するアイコンなどを強調表示（色又は明るさの変更、囲い枠、ブリンク、回転、拡大など）するように構成してもよいし、組合せ可能なクーポン情報を別途リスト表示するように構成してもよい。
【００２９】
図２は、本発明のクーポン提供方法の概要を示す説明図である。複数のクーポン情報は、例えば、ネットワーク（図３の符号１００）を介してクーポン提供サーバ（図３の符号８）から提供される。複数のクーポン情報の一部は、携帯端末の位置情報（例えば、ＧＰＳ信号による）に基づいて、所定の位置から一定の距離範囲１１０内に存在する携帯端末２に提供される。所定の位置とは、店舗１Ａ，１Ｂ，１Ｃ・・・の位置であることが好ましいが、これに限定されず、緯度経度により任意に設定することができる。一定の距離範囲１１０も任意に設定することができる。店舗１又はクーポン提供サービスの事業者は、立地、周辺環境、天候などに応じて距離範囲１１０を適宜設定してよい（例えば、１００ｍ、５００ｍ、１ｋｍなど）。
【００３０】
また、店舗１は、ネットワークに接続可能であり、無線通信機能を有する無線端末５を店内、店頭あるいは店外に配置してもよい。無線通信は、Ｗｉ−Ｆｉ（Ｗｉｒｅｌｅｓｓ  Ｆｉｄｅｌｉｔｙ）を採用するのが好ましいが、これに限定されない。例えば、Ｂｌｕｅｔｏｏｔｈ（登録商標）、ＺｉｇＢｅｅ（登録商標）、ＵＷＢ（Ｕｌｔｒａ  Ｗｉｄｅ  Ｂａｎｄ）などを採用してもよい。
【００３１】
無線端末５を配置した場合、複数のクーポン情報の一部は、かかる無線端末から無線通信可能な距離範囲１２０内に存在する携帯端末２に提供することができる。距離範囲１２０は、無線通信の方式によって設定されるが、Ｗｉ−Ｆｉを採用した場合は約５０ｍとなる。なお、店舗１は、無線端末５を配置してもよいし、配置しなくてもよい。無線端末５を配置しない場合は、店舗の位置を中心として、距離範囲１１０のみが設定される。無線端末５を配置する場合、距離範囲１１０を設定してもよいし、設定しなくてもよい。なお、複数のクーポン情報の一部は、ネットワークを介在させず、店舗等のＩＣカードリーダ／ライタ等により、直接携帯端末に提供することもできる。
【００３２】
異なる店舗（１Ａと１Ｂ）に設定された各距離範囲１１０が重複する位置Ｐ１に携帯端末２が存在する場合、店舗１Ａに関連するクーポンＡと、店舗１Ｂに関連するクーポンＢとが利用者３の所持する携帯端末２に提供される。その後、利用者が位置Ｐ２に移動し、店舗１Ｃに配置された無線端末５の無線通信可能な距離範囲１２０内に到達すると、店舗１Ｃに関連するクーポンＣが携帯端末２に提供される。図１に示したとおり、クーポンＡとクーポンＣには、相互に組合せ可能であるマーク２４０が表示されることが好ましい。利用者３がこのマーク２４０に基づいて、二つのクーポンＡ、Ｃを組合せる操作をすると、新たなクーポンＡＣが提供される。例えば、クーポンＡの内容が「○○スーパーマーケット  炭酸飲料  冬のキャンペーン  ３５０ｍｌ  ６本缶  １００円割引」であり、クーポンＣの内容が「○○バーガー店  ローストチキンサンド  単品価格３９０円が２９０円。有効期限△△年△△月」であるような場合、新たなクーポンＡＣとして、「○○バーガー店  ローストチキンサンド＋炭酸飲料＋ポテトセット価格  ８８０円が５００円。」のような個々のクーポン情報に示される特典を合わせた、より利用価値の高いクーポンが提供されるのである。
【００３３】
なお、本発明では、携帯端末に備わる通信機能など介して、利用者３の携帯端末２に格納された複数のクーポン情報の一部を他の利用者３の携帯端末２に送受信することができてもよく、また、利用者３の携帯端末２に格納された複数のクーポン情報の一部と他の利用者３の携帯端末２に格納されたクーポン情報の一部とを相互に交換（トレード）することができてもよい。利用者３は、トレードされたクーポン情報を、他のクーポン情報と組み合わせて、新たなクーポン情報を取得することができる。このように、本発明では、利用者は、自己の携帯端末３が獲得したクーポン情報だけでなく、他の携帯端末を介して間接的に取得したクーポン情報を利用することもできる。
【００３４】
このように、本発明のクーポン提供方法によれば、利用者が取得した複数のクーポン情報のうちの少なくとも二つを組合せて、新たな利用価値や付加価値が付与されたクーポン情報を提供することができる。このため、利用者は、獲得した複数のクーポン情報を有効に活用することができ、利用者にとって一つでは利用価値又は興味のないクーポン情報も無駄になる可能性が低くなる。店舗にとっても、一つのクーポン情報を配布する場合よりも、利用者を強く誘引することができ、集客効果を上げることができる。さらに異業種間での提携により、従来にない魅力的なサービスを提供できる可能性がある。
【００３５】
また、本発明の一態様では、店舗に無線端末を設置し、かかる無線端末と無線通信可能な距離範囲に存在する携帯端末に、店舗に関連付けられたクーポン情報を提供することができるので、ＧＰＳ信号を受信できない屋内、地下施設などでもシームレスなクーポン提供サービスを実現することができる。このように、本発明のクーポン提供方法は、携帯端末を所持する利用者及び無線端末を配置する店舗の双方にとって利益があるものである。
【００３６】
以下、本発明の実施形態について図面を参照して説明する。なお、本発明は、以下の例に限定されるものではない。
【００３７】
［クーポン提供システムの構成］
図３は、本発明のクーポン提供システムの概略構成図である。本発明の実施形態のクーポン提供システムは、ネットワーク１００と、少なくともネットワーク１００に接続可能なクーポン提供サーバ８と、携帯端末２とを備えている。さらに、クーポン提供システムは、ネットワーク１００に接続可能であり、無線通信機能を有する無線端末５を備えてもよい。
【００３８】
ネットワーク１００は、特に限定されるものではなく、例えば、公衆電話網、ＩＳＤＮ（Integrated Service Digital Networkの略。デジタル総合サービス網とも呼ばれる。）、ＡＤＳＬ（Asymmetric Digital Subscriber Line）、ＣＡＴＶ（Community Antenna TeleVision）網、光ファイバー網、無線ＬＡＮ（Local Area Network）、ＣＳ（Communication Satellite）放送、移動電話網等を利用することができる。
【００３９】
店舗１に設置される無線端末５は、店舗１内に形成されたローカルネットワーク１５０を介して、ネットワーク１００に接続してもよい。ローカルエリアネットワーク１５０も特に限定されるものではないが、Ｗｉ−Ｆｉ通信などによる無線ＬＡＮ、Ｅｔｈｅｒｎｅｔ（登録商標）などによる有線ＬＡＮなどを採用することができる。
【００４０】
クーポン提供サーバ８は、ネットワーク１００など介して、所定の位置から一定の距離範囲１１０又は１２０内に存在する携帯端末２にクーポン情報を提供する。クーポン提供サーバ８としては、サーバ、一つ又は複数のパーソナルコンピュータ、若しくはサーバとパーソナルコンピュータを組合せて使用することができる。
【００４１】
クーポン提供サーバ８は、ネットワーク１００に接続する機能、及びクーポン情報を管理及び格納する機能、クーポン送信要求に応じて対応するクーポン情報を検索し提供する機能、本クーポン提供サービスに加入する携帯端末２、無線端末５及び店舗１に関する情報を管理する機能などを有する。クーポン提供サーバ８は、携帯端末２から送信される位置情報（ＧＰＳ衛星１１からのＧＰＳ信号に基づく測位）に基づいて、所定の位置からの距離範囲１１０に存在する携帯端末２にネットワーク１００を介してクーポン情報を送信することができる。また、クーポン提供サーバ８は、ＧＰＳによる携帯端末の位置情報を取得できない場合であっても、無線端末から無線通信可能な距離範囲１２０内に存在する携帯端末２に送信することができる。
【００４２】
クーポン提供サーバ８には、データベース８０が構成されてもよく、データベース８０には、クーポン情報を提供するための各種の情報（図４〜図７）が格納される。
【００４３】
図４は、クーポン提供サーバが所持する店舗情報管理テーブルの一例である。店舗情報管理テーブル８１０は、店舗及び／又は店舗に配置される無線端末に関する情報を管理するためのテーブルである。店舗情報管理テーブル８１０は、店舗識別情報（以下、店舗ＩＤという）８１１、無線端末の識別情報（以下、無線端末ＩＤという）８１２、店舗又は無線端末の位置情報８１４、設定距離８１５を含む。また、店舗情報管理テーブル８１０は、店舗名８１３、提携等情報８１６などを含んでもよい。
【００４４】
店舗ＩＤ８１１は、本クーポン提供サービスに加入する店舗を一意に識別する識別情報である。無線端末ＩＤ８１２は、店舗に配置された無線端末を一意に識別する識別情報である。無線端末ＩＤは、無線端末の機器に固有の情報であればよく、無線ＬＡＮにおける識別子として利用されるＳＳＩＤ（Service Set Identifier）、ＢＳＳＩＤ（Basic Service Set Identifier）を採用することが好ましい。ただし、これに限定されず、例えば、無線端末のＩＰアドレス、ＭＡＣアドレス、製造番号又は製造番号などに基づいて生成されたハッシュ値であってもよい。
【００４５】
店舗名８１３は、店舗の名称を示す情報である。位置情報８１４は、店舗又は無線端末の位置情報を示す情報である。例えば、店舗の住所、緯度経度で指定してもよいし、具体的な場所を特定せずに「○○市」「○○区」などの行政区を指定してもよいし、最寄り駅を指定してもよい。
【００４６】
設定距離８１５は、店舗毎に設定される距離範囲（図１又は図３に示す符号１１０）を示す情報である。提携等情報８１６は、店舗の属性（提携先、グループ、業種、業態、取扱商品）を示す情報である。
【００４７】
図５は、クーポン提供サーバが保持する携帯端末管理テーブルの例である。携帯端末管理テーブル８２０は、所持者の所持する携帯端末２の携帯識別情報（以下、携帯端末ＩＤという。）８２１と携帯端末の位置情報８２２とを対応付けた情報である。また、携帯端末管理テーブル８２０は、利用者情報８２３を含んでもよい。
【００４８】
携帯端末ＩＤ８２１は、利用者の所持する携帯端末を一意に識別する識別情報である。携帯端末ＩＤは、ネットワークにおいて携帯端末を特定可能であればよく、例えば、ＩＭＥＩ（International Mobile Equipment Identity）番号、携帯電話番号などでよい。位置情報８２２は、携帯端末の現在の位置情報を示すものであり、携帯端末から送信されたＧＰＳ測位による位置情報が格納される。利用者情報８２３は、利用者の氏名、年齢、生年月日、性別、職業又は職種、家族構成、住所などを含む。利用者は、本クーポン提供サービスに加入する際、あらかじめこれらの属性を登録しておくことが好ましい。
【００４９】
図６は、クーポン提供サーバが保持するクーポン情報管理テーブルの例である。クーポン情報管理テーブル８００は、携帯端末に対してクーポンを提供するための情報であり、店舗ＩＤ８０１、無線端末ＩＤ８０２、クーポン識別情報（以下、クーポンＩＤという。）８０３、クーポン情報の内容８０４、組合せ識別情報（以下、組合せＩＤという）８０５を含み、その他、発行日／有効期限８０６、利用限度回数８０７、付加情報８０８などを含んでもよい。
【００５０】
店舗ＩＤ８０１は、店舗の識別情報である（図４の店舗ＩＤ８１１参照）。無線端末ＩＤ８０２は、無線端末の識別情報である（図４の無線端末ＩＤ８１２参照）。クーポンＩＤ８０３は、店舗又は本クーポン提供サービスの事業者によって作成されるクーポン情報に付与される識別情報である。内容８０４は、あらかじめ店舗などによって作成されたクーポン情報の内容を示すものであり、例えば、図１に示す携帯端末の表示画面２０のクーポン内容表示領域２２０に表示させる内容である。
【００５１】
組合せＩＤ８０５は、組合せ可能なクーポン情報の一群を特定するための識別情報である。図６では、説明のため分かりやすい星印などのマークで示されているが、実際は情報処理装置において処理可能なバイナリデータである。
【００５２】
発行日／有効期限８０６は、クーポン情報の発行日又は有効期限を示す情報である。利用限度回数８０７は、クーポン情報の何回使用可能（組合せ可能）であるかを示す情報である。付加情報８０８は、クーポン情報に付与する追加的な情報を示すものである。本発明のクーポン提供方法では、クーポン情報に、例えば、適当な数字の組合せなどからなるくじ、ランダム関数によるくじなどを付与してもよい。利用者が二つのクーポン情報を組合せる際、二つのクーポン情報に付与されたくじを用いて抽選を行い、抽選結果に応じて、複数の新しいクーポン情報（例えば、はずれ、当たり、大当たり）から一つのクーポン情報を提供することができる。つまり、同一の一組のクーポン情報の組合せであっても、所定の確率に従って、異なる種類の複数の新しいクーポンが生成されてもよい。
【００５３】
図７は、クーポン提供サーバが保持するクーポン組合せ対応テーブルの例である。クーポン提供サーバは、必要に応じて、組合せ可能なクーポン情報を特定するためのクーポン組合せ対応テーブル８３０を備えてもよい。クーポン組合せ対応テーブル８３０は、クーポンＩＤ８３１、組合せ可能な他のクーポンＩＤ８３２、組合せ後の新たなクーポンＩＤ８３３、組合せＩＤ８３４などを含む。本テーブルによれば、例えば、クーポンＩＤ「１００１」が選択された場合、そのクーポン情報に組合せ可能な他のクーポンＩＤは「３００１」であり、かかる二つのクーポン情報を組合せると、新たなクーポン情報「１０００１３００１」が生成されると特定することができる。また、クーポンＩＤ「２００１」は、クーポンＩＤ「９９９９」と組合せ可能であり、二つのクーポン情報を組合せると、新たな３つのクーポン情報「２００１９９９９−０」、「２００１９９９９−１」及び「２００１９９９９−２」のいずれか一つが所定の確率で生成される。さらに、クーポンＩＤ「８００１」については、異なる３つのクーポン情報と組合せ可能であり、これらの組合せにより、何れも同じ新たなクーポン情報が生成される。クーポンＩＤ「９００１」については、異なる３つのクーポン情報と組合せ可能であり、これらの組合せにより、それぞれ異なる新たなクーポン情報が生成される。
【００５４】
なお、図６に示したように、組合せ後の新しいクーポン情報のクーポンＩＤを、組合せ前のクーポン情報のクーポンＩＤを含むものとすれば、容易にクーポン情報の組合せの対応を特定できるので、クーポン組合せ対応テーブルはクーポン提供サーバに持たせなくてもよい。ただし、一のクーポン情報とそれに対応する組合せ後の新たなクーポン情報とをまとめて、あらかじめ携帯端末に送信する場合は、クーポン組合せ対応テーブル８３０を利用することが好ましい。
【００５５】
本発明のクーポン提供サーバは、図４から図７に示した各種テーブルを用いてクーポン情報を提供する処理を実行するが、詳細については、図１１から図１３、及び図１７に示すシーケンス図、フローチャートにおいて後述する。
【００５６】
［携帯端末の構成］
本発明の携帯端末は、少なくとも、無線通信機能、及びネットワークに接続する機能を有していればよい。携帯端末は、多機能携帯電話（スマートフォン、ｉ−ｐｈｏｎｅ（登録商標））であることが好ましいが、これに限定されない。パーソナルコンピュータ、タブレット端末、ＰＤＡ（Personal Digital Assistant）、カーナビ等であってもよい。
【００５７】
図８は、クーポン提供サービスを利用する携帯端末２の構成の一例を示すブロック図である。携帯端末２は、表示画面２０、無線通信部２１、表示画面制御部２２、主メモリ２３、記憶部２４、情報処理部２５、ＧＰＳ通信部２６、ネットワーク通信部２７、加速度及び角速度検知部２８、カメラ部２９、音声制御部３１、音声出力部３２、音声入力部３３、操作入力部３４、計時部３５、及び電源部（図示省略）などを備える。なお、同図に示した構成は一例であって、携帯端末２は、その利用形態によって種々の構成を採用しうる。
【００５８】
無線通信部２１は、無線通信を可能に構成された通信インターフェースであり、無線ＬＡＮ、特にＷｉ−Ｆｉに対応していることが好ましい。無線通信部２１は、無線端末５から送信される近距離無線通信を利用した接続要求信号を受信可能に構成される。近距離無線信号としてＷｉ−Ｆｉが使用される場合、この接続要求信号は、無線端末５の無線端末ＩＤとしてＳＳＩＤを含むブロードキャストビーコンフレーム信号（以下、ビーコン信号という。）である。また、無線通信部２１は、一定の期間、無線端末５からのビーコン信号を受信できない場合は、無線端末５との無線通信を確立するための接続要求信号（例えば、プローブ要求信号）を送信し、無線端末５からのプローブ応答信号を受信し、自己の携帯端末ＩＤを無線端末５に通知することができるように構成されることが好ましい。
【００５９】
記憶部２４は、不揮発性の半導体メモリによって構成される。記憶部２４は、後述する情報処理部２５が実行する各種プログラム２１０、及び各種データ（例えば、図９に示すクーポン情報表示テーブル）を格納する。
【００６０】
主メモリ２３は、後述する情報処理部２５のプロセッサ(図示省略)が直接アクセスすることができる揮発性の半導体メモリである。主メモリ２３は、プロセッサによって実行される各種プログラムを格納する。
【００６１】
情報処理部２５は、携帯端末２の各種処理を実行する。情報処理部２５は、図示しないプロセッサによって、記憶部２４に格納された各種プログラムを主メモリ２３にロードし、ロードされた各種プログラムを読み出し、ハードウェアとプログラムとを協働させて各種プログラムの処理を実現する。
【００６２】
ＧＰＳ通信部２６は、ＧＰＳ信号を受信可能に構成された通信インターフェースである。ネットワーク通信部２７は、適当な中継装置、アクセスポイント、基地局などを介してネットワーク１００に接続可能に構成された通信インターフェースであり、３Ｇ携帯電話回線、ＰＨＳ回線等を使用可能であることが好ましい。
【００６３】
加速度及び角速度検知部２８は、重力加速度及び角速度の変化によって、携帯端末２の姿勢、運動の方向などを検知するセンサである。加速度及び角速度検知部２８は、Ｘ、Ｙ、Ｚ軸への加速度及びこれらの各軸回りの角速度を検知可能に構成されることが好ましい。
【００６４】
カメラ部２９は、光学系及び撮像素子を備え、動画像、静止画像を撮影することができるほか、各コードを読み取り可能であることが好ましい。
【００６５】
表示画面制御部２２は、表示画面２０における再生表示を制御する。表示画面２０は、図１にも示したが、クーポン情報のほか、動画、静止画などの各種コンテンツを再生表示する画面であり、ＬＣＤ（Liquid Crystal Display）のほか、有機ＥＬディスプレイ（Organic Electroluminescence Display）、ＰＤＰ（Plasma Display Panel）、ＦＥＤ（Field Emission Display）、電子ペーパ等を採用することができる。
【００６６】
音声制御部３１は、携帯広告コンテンツの音声を音声出力部３２において出力し、音声入力部３３から入力された音声を処理する。これらは、専用の音声処理回路、スピーカ、マイク、イヤホン、ヘッドホンなどによって構成される。
【００６７】
操作入力部３４は、利用者の各種操作が入力される物理的なユーザインターフェース又はソフトウェアで実現されるＧＵＩであり、例えば、各種押しボタンスイッチ、４方向移動スイッチなどによって構成される。操作入力部３４は、タッチセンサなどを備えた表示画面２０によって構成されてもよい。計時部３５は、内部時計を用いて時刻を計時する。電源部（図示省略）は、専用の電源回路によって構成され、各部に電力を供給する。
【００６８】
図９は、携帯端末が保持するクーポン情報表示テーブルの例である。クーポン情報表示テーブル２００は、例えば、クーポンＩＤ２０２、クーポン情報の内容２０３、組合せＩＤ２０４、発行日／有効期限２０５、利用限度回数２０６などを含む。クーポン名称２０１は、説明のため付加しただけであるので、記載しなくてもよい。クーポンＩＤ２０２〜利用限度回数２０６は、図６に示したクーポン情報管理テーブル８００のクーポンＩＤ８０３〜利用限度回数８０７に示したものと同様であるので説明は省略する。
【００６９】
携帯端末が実行する具体的な処理については、図１１から図１５に示すシーケンス図、フローチャートにおいて後述する。
【００７０】
［無線端末の構成］
本発明の無線端末５は、少なくとも無線通信を確立するための接続要求信号（ビーコン信号）を送信可能に構成される。また、無線端末５は、ネットワーク１００に接続可能に構成されることが好ましく、無線通信可能な距離範囲１２０内に存在する携帯端末２からの接続要求信号（プローブ要求信号）に対してプローブ応答信号を送信可能であることが好ましい。さらに、かかる携帯端末２から通知された携帯端末ＩＤを取得して、自己の無線端末ＩＤととものネットワーク１００を介してクーポン提供サーバ８に送信可能であることが好ましい。
【００７１】
図１０は、店舗に配置される無線端末の構成の一例を示すブロック図である。無線端末５は、無線通信部５１、記憶部５２、主メモリ５３、情報処理部５４、接続部５５を備える。
【００７２】
無線通信部５１は、無線信号を送受信する機能を有し、無線通信可能に構成された通信インターフェースである。無線通信部２１は、Ｗｉ−Ｆｉ通信が可能に構成されることが好ましいが、ＷｉＭＡＸ通信のほか、Ｂｌｕｅｔｏｏｔｈ（登録商標）通信、ＺｉｇＢｅｅ通信、ＵＷＢ通信、赤外線通信等が可能に構成されてもよい。さらに、ネットワーク１００に直接接続できるように、３Ｇ携帯電話回線、ＰＨＳ回線等を使用可能に構成されてもよいし、有線ＬＡＮを介してネットワーク１００と接続可能に構成されてもよい。
【００７３】
記憶部５２は、無線端末を機能させるためのプログラム５６などを格納する。記憶部５２には、不揮発性の各種半導体メモリを採用することができ、特にＳＰＩフラッシュメモリを採用するのが好ましいが、これに限定されない。他の半導体メモリ、ハードディスク等の記憶装置によって構成されてもよい。
【００７４】
主メモリ５３は、後述する情報処理部５４のプロセッサが直接アクセスすることができる揮発性の半導体メモリである。主メモリには、例えば、ＳＤＲＡＭ（Synchronous Dynamic Random Access Memory）を採用してもよい。
【００７５】
情報処理部５４は、各種処理を実行する処理部であり、プロセッサ及びその周辺回路によって構成される。具体的には、情報処理部５４は、図示しないプロセッサによって、記憶部５２に格納されたプログラム５３を読み出して実行し、ハードウェアとプログラムとを協働させ、各種処理を実現する。
【００７６】
接続部５５は、他の機器やローカルネットワーク１５０に接続するためのインターフェースである。そのほか電源部（図示省略）などを備える。
【００７７】
店舗１には、クーポン情報の作成、無線端末の管理などのための管理端末６を設けてもよい。管理端末６は、店舗管理者７がクーポン情報を作成したり、クーポンの送信条件を設定したりする端末であり、店舗１に配置された無線端末５に関する情報を管理する。管理端末６は、クーポン提供システムに加入する無線端末５の無線端末ＩＤを登録又は更新する機能、クーポン提供サーバに格納されているクーポン情報を登録又は更新する機能、他の店舗のクーポン情報との組合せを登録又は更新する機能などを有する。管理端末６には、例えば、パーソナルコンピュータ等を採用することができる。
【００７８】
[クーポン提供システムの処理]
図１１は、クーポン提供システムの第１のクーポン提供処理の例を示すシーケンス図であり、図３に示す無線端末から無線通信可能な距離範囲１２０に携帯端末２が存在する場合の処理の例である。本例の処理は、クーポン提供サーバ８と無線端末５と携帯端末２との間で実行されるものである。
【００７９】
無線端末５は、近傍に位置する無線通信機器との間で無線通信を確立するために、接続要求信号（ビーコン信号）を周期的に又は連続的に送信しており、無線端末５の近傍（例えば、５０ｍ以内）に位置する携帯端末２は、無線端末５から送信される接続要求信号を受信する（Ｓ１１０１）。
【００８０】
携帯端末２は、接続要求信号を受信すると、無線端末５が配置された店舗に関連するクーポン情報の送信を要求するための第１クーポン送信要求処理を実行する（Ｓ１１０２）。
【００８１】
図１４は、携帯端末が実行する第１クーポン送信要求処理の例を示すフローチャートである（図１１のＳ１１０２〜Ｓ１１０３を含む）。携帯端末２には、クーポン提供サービスを受けるためのプログラムがあらかじめインストールされ、クーポン提供サーバ８において事前のサービス加入に伴う登録処理がなれていることが好ましい。当該プログラムは、利用者の操作によって起動するように構成されてもよいし、外部からの呼び出し信号に基づく「Ｗａｋｅ  ｏｎ  Ｒｉｎｇ」機能などを利用して、携帯端末２が休止状態から復帰したときに起動するように構成されてもよい。
【００８２】
以下、説明のため、携帯端末２が各処理を実行すると記載するが、実際は、携帯端末２の情報処理部２５のプロセッサ（図示省略）が主メモリ２３に読み込まれたプログラムを実行することによって各処理を実現するものである。
【００８３】
まず、携帯端末２は、無線端末５から送信される接続要求信号を受信したか否か判定する（Ｓ１３０１）。Ｓ１３０１において、接続要求信号を受信したと判定された場合（Ｙｅｓ）、携帯端末２は、次のステップを実行し、接続要求信号を受信していないと判定された場合（Ｎｏ）、携帯端末２は、待ち受け状態となるか又は受信機能をオフとしてもよい。
【００８４】
接続要求信号を受信した場合、携帯端末２は、その接続要求信号に含まれる無線端末ＩＤを抽出し、その無線端末ＩＤが適正か否か、すなわち、その無線端末ＩＤによって特定される無線端末が、本クーポン提供サービスに対応しているか否か判定する（Ｓ１３０２）。例えば、無線端末ＩＤには、本クーポン提供サービスを提供する無線端末群に共通に付与された情報（ＳＳＩＤの最初の５桁を共通化する等）が含まれていてもよく、携帯端末２は、本クーポン提供サービスの加入時に配布された当該共通情報を参照して、無線端末ＩＤが適正か否か判定してもよい。
【００８５】
Ｓ１３０２において、無線端末ＩＤが適正であると判定された場合（Ｙｅｓ）、携帯端末２は、当該接続要求信号に含まれる無線端末ＩＤと、自己の携帯端末ＩＤを含む第１クーポン要求信号を生成し（Ｓ１３０３）、かかる第１クーポン要求信号をクーポン提供サーバ８に送信する。第１クーポン要求信号は、携帯端末２と無線端末５との間で無線通信が確立しているならば、無線端末５を経由してクーポン提供サーバ８に送信されてもよい。
【００８６】
図１１に戻り、クーポン提供サーバ８は、クーポン要求信号を受信すると、クーポン情報を選択する処理を実行する（Ｓ１１０４）。クーポン情報選択処理については、クーポン要求信号の内容に応じて異なるので、後述する図１７においてまとめて説明する。クーポン情報の選択後、クーポン提供サーバ８は、選択したクーポン情報を携帯端末２に送信する（Ｓ１１０５）。この場合、クーポン提供サーバ８は、選択した一のクーポン情報のみを送信してもよいし、クーポン情報管理テーブル（図６）又はクーポン組合せ対応テーブル（図７）を参照して、選択した一のクーポン情報に関連する（同一の組合せＩＤが付与された）一群のクーポン情報や、選択した一のクーポン情報に対応する組合せ後の新たなクーポン情報も合わせて送信することもできる。また、クーポン情報に含まれる一部の情報（例えば、クーポンＩＤ）のみを送信するようにしてもよい。
【００８７】
携帯端末２は、クーポン情報を受信すると、クーポン情報表示処理を実行する（Ｓ１１０６）。
【００８８】
具体的には、携帯端末２は、クーポン情報を一度、図９に示すクーポン情報表示テーブル２００に格納する。新たに格納されたクーポン情報が図１の表示画面２０に表示されていないものであれば、図１に示すように、クーポン情報のアイコン２３０を作成して表示画面２０に表示する。クーポン情報に組合せＩＤが含まれている場合、かかるクーポン情報が他のクーポン情報と組合せ可能であること示すマーク２４０をアイコン２３０に重ねて表示してもよい。利用者がアイコン２３０を選択する操作をした場合、クーポン情報表示テーブル２００を参照して、対応する内容を表示画面２０のクーポン内容表示領域２２０に表示してもよい。なお、クーポン情報の一部（クーポンＩＤ及び内容の一部（アイコン及びクーポンの概要など））だけが始めに送信される場合は、まず、アイコン２３０及び概要のみを表示し、利用者がアイコン２３０を選択する操作をした場合、クーポン提供サーバ８に格納された対応するクーポン情報の内容（例えば、図６に示すクーポン情報管理テーブル８００の内容８０４のほか、符号８０５〜８０７の内容など）をダウンロードして、表示画面２０のクーポン内容表示領域２２０に詳細に表示することもできる。
【００８９】
次いで、携帯端末２は、利用者が少なくとも二つ以上のクーポン情報を組合せる操作がされたことを受けて、第２クーポン送信要求処理を実行する（Ｓ１１０７）。
【００９０】
図１５は、携帯端末が実行する第２クーポン送信要求処理の例を示すフローチャートである。携帯端末２は、組合せ操作がされたか否か判定し（Ｓ１４０１）、Ｓ１４０１において、組合せ操作がされたと判定された場合（Ｙｅｓ）、携帯端末２は、図９に示すクーポン情報表示テーブル２００を参照して、利用者により選択された二つ以上のクーポン情報のクーポンＩＤを特定し、かかる二つ以上のクーポンＩＤを含む第２クーポン要求信号を生成する（Ｓ１４０２）。生成した第２クーポン要求信号をクーポン提供サーバ８に送信する（Ｓ１４０３）。Ｓ１４０１において、組合せ操作がされてないと判定された場合（Ｎｏ）は、待機状態に戻る。
【００９１】
なお、前述したとおり、携帯端末２は、選択された二つ以上のクーポン情報に対応する組合せ後の新たなクーポン情報もあらかじめ自己の記憶領域に格納しておくこともできる。この場合、記憶領域に格納された組合せ後の新たなクーポン情報は、第２クーポン要求信号が生成されるまで、すなわち対応する二つ以上のクーポン情報が組合せられるまで、利用不可能な状態とされており、利用者がクーポン情報を組合せる操作をしたことを受けて、携帯端末２は、第２クーポン要求信号（クーポン表示信号）を生成し、その第２クーポン要求信号に基づいて、選択されたクーポンＩＤなどを検索キーとして、図９に示すクーポン情報表示テーブル２００を検索し、対応する組合せ後の新たなクーポン情報の内容を抽出し、抽出した内容を表示画面に表示し、利用可能な状態としてもよい。
【００９２】
図１１に戻り、クーポン提供サーバ８は、クーポン要求信号を受信すると（Ｓ１１０８）、新たなクーポン情報の選択処理を実行する（Ｓ１１０９）。クーポン情報選択処理の詳細については、後述する図１７において説明する。
【００９３】
クーポン提供サーバ８は、選択した新たなクーポン情報を携帯端末に送信する（Ｓ１１１０）。携帯端末２は、新たなクーポン情報を受信し、その新たなクーポン情報をクーポン情報表示テーブル２００に格納し、必要に応じて、新たなクーポン情報の内容を表示画面２０に表示する（Ｓ１１０１）。なお、図１１において、クーポン提供サーバ８と携帯端末２間のクーポン要求信号（Ｓ１１０３、Ｓ１１０８）、クーポン情報の送信（Ｓ１１０５、Ｓ１１１０）は、無線端末５を経由して送受信されてもよい。
【００９４】
図１２は、クーポン提供システムの第２のクーポン提供処理の例を示すシーケンス図であり、図３に示す所定の距離範囲１１０に携帯端末２が存在する場合の処理の例である。本例の処理は、クーポン提供サーバ８と携帯端末２との間で実行されるものである。
【００９５】
携帯端末２は、ＧＰＳ衛星から受信したＧＰＳ信号に基づいて測位した自己の位置情報を所定の間隔でクーポン提供サーバ８に送信する（Ｓ１００１）。クーポン提供サーバ８は、携帯端末２の位置情報に基づいて、いずれかの携帯端末２が所定の位置から一定の距離範囲（図３の符号１１０）内に存在するか否か判定し、クーポン情報を選択する処理を実行する（Ｓ１００２）。かかるクーポン情報選択処理の詳細については、後述する図１７において説明する。
【００９６】
次いで、クーポン提供サーバ８は、選択したクーポン情報を携帯端末に送信する（Ｓ１００３）。以降の処理は、図１１に示す処理と同様であるので、説明は省略する。
【００９７】
図１３は、クーポン提供システムの第３のクーポン提供処理の例を示すシーケンス図であり、図１１に示した第１の例の変形例である。本例の処理は、クーポン提供サーバ８と無線端末５と携帯端末２と外部の通知サーバ９との間で実行されるものである。
【００９８】
無線端末５は、所定の期間、無線端末５からの接続要求信号が受信できない場合、近傍に位置する無線端末５との無線通信を確立するために、自ら接続要求信号（プローブ要求信号）を送信する（Ｓ１２０１）。この接続要求信号には、本クーポン提供サービスを提供する無線端末群に共通に付与された情報（ＳＳＩＤの最初の５桁を共通化する等）が含まれることが好ましい。
【００９９】
無線端末５は、携帯端末２からの接続要求信号を受信すると、プローブ応答信号を送信する（Ｓ１２０２）。携帯端末２は、応答信号を受けて、自己の携帯端末ＩＤを無線端末５に送信する（Ｓ１２０３）。次いで、無線端末５は、第１クーポン送信要求処理を実行する（Ｓ１２０４）。
【０１００】
図１６は、無線端末が実行する第１クーポン送信要求処理の例を示すフローチャートである（図１３のＳ１２０１〜Ｓ１２０５を含む）。以下、説明のため、無線端末５が各処理を実行すると記載するが、実際は、無線端末５の情報処理部５４のプロセッサ（図示省略）が主メモリ５３に読み込まれたプログラムを実行することによって各処理を実現するものである。
【０１０１】
まず、無線端末５は、携帯端末２から送信される接続要求信号を受信したか否か判定する（Ｓ１５０１）。Ｓ１５０１において、接続要求信号を受信したと判定された場合（Ｙｅｓ）、無線端末５は、次のステップを実行し、接続要求信号を受信していないと判定された場合（Ｎｏ）、無線端末５は待機状態となる。
【０１０２】
接続要求信号を受信した場合、無線端末５は、その接続要求信号に含まれる情報を抽出する。接続要求信号に含まれる情報は、本クーポン提供サービスへの加入に関する情報であり、例えば、本クーポン提供サービスを提供する無線端末群に共通に付与された情報（ＳＳＩＤの一部）であることが好ましい。
【０１０３】
無線端末５は、接続要求信号に含まれる情報に基づいて、接続を求める携帯端末２が適正であるか否か、すなわち、携帯端末２が本クーポン提供サービスに対応しているか否か判定する（Ｓ１５０２）。Ｓ１５０２において、携帯端末２が適正であると判定された場合（Ｙｅｓ）、無線端末５は、プローブ要求信号に対するプローブ応答信号を送信する（Ｓ１５０３）。Ｓ１５０２において、携帯端末２が適正でないと判定された場合（Ｎｏ）、Ｓ１５０１に戻る。
【０１０４】
次いで、無線端末５は、携帯端末ＩＤを受信したか否か判定する（Ｓ１５０４）。Ｓ１５０４において、携帯端末ＩＤを受信したと判定された場合（Ｙｅｓ）、無線端末５は、受信した携帯端末ＩＤと自己の無線端末ＩＤとを含む第１クーポン要求信号を生成し、かかる第１クーポン要求信号をクーポン提供サーバ８に送信する（Ｓ１５０５）。プローブ要求信号に対するプローブ応答信号を送信する（Ｓ１５０３）。Ｓ１５０４において、携帯端末ＩＤを受信していないと判定された場合（Ｎｏ）、Ｓ１５０１に戻る。
【０１０５】
図１３に戻ると、無線端末５が第１クーポン要求信号をクーポン提供サーバ８に送信すると（Ｓ１２０５）、クーポン提供サーバ８は、後述するクーポン情報の選択処理を実行する（Ｓ１２０６）。
【０１０６】
クーポン提供サーバ８がクーポン情報を選択した後、本例では、クーポン送信準備通知を携帯端末２に送信する。クーポン送信準備通知とは、クーポンが発行されることを事前に携帯端末２を所持する利用者に知らせるものであり、外部の通知サーバ９を利用することができる。クーポン送信準備通知は、クーポン提供サーバ８から、通知サーバを経由して携帯端末２に送信される（Ｓ１２０７〜１２０９）。
【０１０７】
携帯端末２は、クーポン送信準備通知を受信すると、図１に示した表示画面２０の通知領域２５０にその旨を表示してもよい。利用者がクーポン送信準備通知を受けて、クーポン情報を受け取るための承諾の操作をすると、携帯端末２は、送信開始要求信号を生成し、クーポン提供サーバ８に送信する（Ｓ１２１０）。クーポン提供サーバ８は、送信開始要求信号を受信すると、先に選択したクーポン情報を携帯端末２に送信する（Ｓ１２１１）。以降の処理については、図１１及び図１２に示した処理と同様であるので説明は省略する。
【０１０８】
最後に、クーポン提供サーバが実行するクーポン選択処理（Ｓ１１０２、Ｓ１００７、Ｓ１１０４、Ｓ１１０９、Ｓ１２０６及びＳ１２１５）について説明する。
【０１０９】
図１７は、クーポン提供サーバのクーポン送信処理の例を示すフローチャートである。まず、クーポン提供サーバ８は、携帯端末２又は無線端末５から送信されるクーポン要求信号を受信すると（Ｓ１６０１）、当該クーポン要求信号に含まれる携帯端末ＩＤを抽出する（Ｓ１６０２）。次いで、当該クーポン要求信号にクーポンＩＤが含まれるか否か判定する（Ｓ１６０３）。
【０１１０】
Ｓ１６０３において、クーポンＩＤが含まれると判定された場合（Ｙｅｓ）、すなわち、当該クーポン要求信号は新しいクーポン情報を要求する第２クーポン要求信号であるので、クーポン提供サーバ８は、図６に示すクーポン情報管理テーブル８００を参照し、クーポンＩＤに対応するクーポン情報を選択する（Ｓ１６０４）。第２クーポン要求信号には、複数のクーポンＩＤ（例えば「１００１」「３００１」）、組合せ後のクーポンＩＤ（例えば「１００１３００１」）又は組合せＩＤ（例えば「★」）が含まれているので、クーポン提供サーバ８は、かかるクーポンＩＤなどを検索キーとして対応する組合せ後の新たなクーポＩＤを選択することができる。
【０１１１】
一方、Ｓ１６０３において、クーポンＩＤが含まれていないと判定された場合（Ｎｏ）、クーポン提供サーバ８は、当該クーポン要求信号に無線端末ＩＤが含まれるか否か判定する（Ｓ１６０５）。Ｓ１６０５において、無線端末ＩＤが含まれると判定された場合（Ｙｅｓ）、すなわち、当該クーポン要求信号は無線端末５から送信された第１クーポン要求信号であるので、クーポン提供サーバ８は、図６に示すクーポン情報管理テーブル８００を参照し、当該無線端末ＩＤに対応するクーポン情報を選択する（Ｓ１６０６）。
【０１１２】
一方、Ｓ１６０５において、無線端末ＩＤが含まれていないと判定された場合（Ｎｏ）、クーポン提供サーバ８は、当該クーポン要求信号に携帯端末の位置情報が含まれるか否か判定する（Ｓ１６０７）。Ｓ１６０７において、携帯端末の位置情報が含まれると判定された場合（Ｙｅｓ）、クーポン提供サーバ８は、図４に示す店舗情報管理テーブル８１０及び図５に示す携帯端末管理テーブル８２０を参照し、店舗の位置情報と携帯端末の位置情報とを比較して、当該携帯端末が特定の店舗から所定の距離範囲にあるか判定し、かかる特定の店舗を選択する（Ｓ１６０８）。次いで、クーポン提供サーバ８は、図６に示すクーポン情報管理テーブル８００を参照し、店舗ＩＤに対応するクーポン情報を選択する（Ｓ１６０９）。最後に、クーポン提供サーバ８は、選択したクーポン情報を携帯端末２に送信する（Ｓ１６１０）。Ｓ１６０７において、携帯端末の位置情報が含まれていないと判定された場合（Ｎｏ）、Ｓ１６０１の処理に戻る。
【０１１３】
以上説明したとおり、本発明のクーポン提供方法によれば、二つ以上のクーポン情報を組合せた新たなクーポンを提供することができ、利用者が利用価値の高いクーポン情報を獲得することができる。また、利用者にとって利用価値のない個々のクーポン情報も他のクーポン情報と組合せることができるので、捨てられることなく無駄とならない。クーポン情報を作成する店舗も他の店舗（特に異業種）と提携することにより、付加価値の高いサービスを提供できる。
【符号の説明】
【０１１４】
１  店舗
２  携帯端末
３  利用者
５  無線端末
８  クーポン提供サーバ
２０  表示画面
１００  ネットワーク
１１０  距離範囲
１２０  距離範囲
２２０  クーポン内容表示領域
２３０  アイコン
２４０  マーク
【図１】
2014178724.tif 000003
【図２】
2014178724.tif 000004
【図３】
2014178724.tif 000005
【図４】
2014178724.tif 000006
【図５】
2014178724.tif 000007
【図６】
2014178724.tif 000008
【図７】
2014178724.tif 000009
【図８】
2014178724.tif 000010
【図９】
2014178724.tif 000011
【図１０】
2014178724.tif 000012
【図１１】
2014178724.tif 000013
【図１２】
2014178724.tif 000014
【図１３】
2014178724.tif 000015
【図１４】
2014178724.tif 000016
【図１５】
2014178724.tif 000017
【図１６】
2014178724.tif 000018
【図１７】
2014178724.tif 000019